(57)【要約】      （修正有）【課題】枝糸の長さ調節及び固定作業が簡易且つ迅速に行われて、餌の種類や釣りの条件に応じて両針の位置を簡単に調節でき、おもりの総重量の調節作業が容易で、２本針仕掛けの枝糸のもつれを防止し、両針を常に一定の間隔で維持することができる多機能釣り用おもり組立体を提供する。【解決手段】連結環１１が備えられた上部本体１０と、装着溝部２１が形成された下部本体２０と、装着溝部２１に挟み込まれる密着部３１とを備え、上部本体１０と下部本体２０の結合時、装着溝部２１の底面と固定部材３０の密着部３１との間に２本針の枝糸が固定されるようにし、２本針の枝糸が貫通するガイド孔を形成して、両針の間隔を維持するようにした枝糸ガイド部材４０と、おもりの総重量に対して、重量を８〜１１％増加または減少させて上げ釣りや下げ釣りに切り替えるための補助重量部材５０を備える。【選択図】図２
2019071876.tif 000002
【特許請求の範囲】
【請求項１】
中空の筒状に形成され、軸線方向の下側が開放され、上側に連結環が備えられた上部本体；
前記上部本体の下部と着脱可能に結合され、２本針の枝糸を挟み込むための装着溝部が形成された下部本体；及び
前記上部本体と下部本体との間に設けられ、前記装着溝部に挟み込まれる密着部を備えて、前記上部本体と下部本体の結合時に、前記密着部装着溝部の底面に密着するようになった固定部材；を含み、
前記下部本体の装着溝部の底面と固定部材の密着部との間に２本針の枝糸を位置させ、前記上部本体と下部本体を結合することで、２本針の枝糸が固定されるようにしたことを特徴とする多機能釣り用おもり組立体。
【請求項２】
前記下部本体に設けられ、弾性変形及び復元が可能な弾性材質で製造され、薄い板の帯状に形成されており、両端部には２本針の枝糸が貫通するようにガイド孔が形成されて、両針の間隔を維持するようになった枝糸ガイド部材をさらに含むことを特徴とする請求項１に記載の多機能釣り用おもり組立体。
【請求項３】
前記下部本体に着脱可能になって下げ釣りのためのおもりの総重量に対して、重量を８〜１１％増加させて上げ釣りのためのおもりの重量になるようにする下げ／上げ釣り切り替え用補助重量部材をさらに備えることを特徴とする請求項１または２に記載の多機能釣り用おもり組立体。
【請求項４】
前記補助重量部材には複数の切断溝を有する微重量調節切断部が形成されたことを特徴とする請求項３に記載の多機能釣り用おもり組立体。
【請求項５】
上部本体は上体部と下体部に分離形成して着脱可能になり、前記上体部と下体部の内部空間には、おもりの重量を１〜５％の範囲内で微調節することができる複数の釣り浮き合わせ用重量調節錘が収容されるようになったことを特徴とする請求項１に記載の多機能釣り用おもり組立体。
【発明の詳細な説明】
【技術分野】
【０００１】
本発明は多機能釣り用おもり組立体に関するもので、特に、おもり組立体の総重量を簡単に調節できると共に、２本針仕掛けをおもり組立体に固定する作業が容易であり、且つ、両針の位置を水平に並んで位置させるか、または上下にずれて位置させる調節作業が非常に便利であり、上げ釣りや下げ釣りに簡単に切り替えることができる多機能釣り用おもり組立体に関するものである。
【背景技術】
【０００２】
一般的に、釣り用おもり組立体は、水の流れや、針の位置及び魚種などの釣りの条件に応じて重量を異にする錘を使用することになる。このため、重量が異なる複数種類のおもりを予め準備して、適切な重量のおもりを選択して使用する。しかし、重量が異なる複数種類のおもりを備えて携帯したり、入れ替えて使用することが面倒である短所がある。
【０００３】
また、釣り仕掛けのうち、特に２本針を使用する釣り仕掛けは、主にフナ釣りなどに使用されるものであって、餌として餌釣り、ミミズ、エビなどを使用している。なお、餌の種類に応じて選択的に枝糸の長さを調節して２本針の位置を横に並べたり、または上下に配置している。
【０００４】
これらの枝糸の調節を容易にするための従来技術としては、例えば、特許文献１及び特許文献２に開示された釣り仕掛けがある。この釣り仕掛けは固定具を用いて枝糸の長さを調節及び固定することができるようして、２本針の位置を横に並べたり、上下に位置させることができるようになったものである。しかし、前述の従来技術は全て枝糸を調節して動かないように握った状態で固定具に力を与えてしまり嵌めで固定し、また力を与えて固定具を抜き出すことによって枝糸の調節作業を行う。従って、調節作業が非常に容易ではなく、固定具をしまり嵌めで固定する過程で枝糸を堅固に握っていなければ、枝糸が一緒に押さ込んで移動することになる。そのため、針を所望の位置に正確に位置させることができない短所がある。
【０００５】
また、枝糸を調節するための固定具と一緒に、おもりが備えられているが、おもりを枝糸に挟み込む方式であるため、重量調節作業が面倒である短所がある。
【先行技術文献】
【特許文献】
【０００６】
【特許文献１】韓国実用新案登録第２０−０１８６７２０号公報
【特許文献２】韓国実用新案登録第２０−０１６６９０３号公報
【発明の概要】
【発明が解決しようとする課題】
【０００７】
本発明は前述したような従来の問題点を解決するためになされたもので、その目的は、２本針仕掛けにおいて、枝糸の長さ調節及び固定作業が非常に簡易に、且つ迅速に行われて、餌の種類や釣りの条件に応じて両針の位置を簡単に調節することができ、おもりの総重量の調節作業が非常に便利な多機能釣り用おもり組立体を提供することにある。
【０００８】
また、本発明の他の目的は、２本針仕掛けの枝糸が互いにもつれることを防止すると共に、両針を常に一定の間隔で維持することができる多機能釣り用おもり組立体を提供することにある。
【０００９】
さらに、本発明の他の目的は、針を床に位置させて魚が針の上で餌を吸引するようにして、釣り浮きが水面上に上昇する所謂上げ釣り、または釣り針を床から一定の高さに浮かせて位置させて、魚が針の下で餌を吸引するようにして、釣り浮きが水面下に下降する所謂下げ釣りへの切り替えを非常に便利に行うことができる多機能釣り用おもり組立体を提供することにある。
【課題を解決するための手段】
【００１０】
前述した目的を達成するために、本発明に係る多機能釣り用おもり組立体は、中空の筒状に形成され、軸線方向の下側が開放され、上側に連結環が備えられた上部本体；前記上部本体の下部と着脱可能に結合され、２本針の枝糸を挟み込むための装着溝部が形成された下部本体；及び前記上部本体と下部本体との間に設けられ、前記装着溝部に挟み込まれる密着部を備えて、前記上部本体と下部本体の結合時に、前記密着部装着溝部の底面に密着するようになった固定部材；を含み、前記下部本体の装着溝部の底面と固定部材の密着部との間に２本針の枝糸を位置させ、前記上部本体と下部本体を結合することで、２本針の枝糸が固定されるようにしたことを特徴とする。
【００１１】
また、本発明において、 前記下部本体に設けられ、弾性変形及び復元が可能な弾性材質で製造され、薄い板の帯状に形成されており、両端部には２本針の枝糸が貫通するようにガイド孔が形成されて、両針の間隔を維持するようになった枝糸ガイド部材をさらに含むことが好ましい。
【００１２】
また、本発明において、前記下部本体に着脱可能になって下げ釣りのためのおもりの総重量に対して、重量を８〜１１％増加させて上げ釣りのためのおもりの重量になるようにする下げ／上げ釣り切り替え用補助重量部材をさらに備えることが好ましい。
【００１３】
また、本発明において、前記補助重量部材には複数の切断溝を有する微重量調節切断部が形成されたことが好ましい。
【００１４】
また、本発明において、上部本体は上体部と下体部に分離形成して着脱可能になり、前記上体部と下体部の内部空間には、おもりの重量を１〜５％の範囲内で微調節することができる複数の釣り浮き合わせ用重量調節錘が収容されるようになったことが好ましい。
【発明の効果】
【００１５】
前述した特徴的な構成を有する本発明の多機能釣り用おもり組立体によれば、上部本体と下部本体との間に２本針の枝糸を挟み込んで、固定部材を介して上部本体と下部本体を螺合する簡単な操作によって、２本針を固定することができる。また、螺合された上部本体と下部本体を少し緩めると、枝糸の固定状態が緩んで枝糸の移動が可能になる。従って、両針を水平に位置させるか、または上下にずれて位置させる調節作業を非常に便利に行うことができる効果がある。
【００１６】
また、本発明のおもり組立体に備えられた枝糸ガイド部材によれば、２本針仕掛けを使用するに当たって、枝糸をガイドして両針の間隔を一定に維持すると共に、枝糸が互いにもつれることを防止する効果がある。
【００１７】
さらに、本発明のおもり組立体に備えられた下げ／上げ釣り切り替え用補助重量部材によれば、針が床から一定の高さに浮かぶように、おもり組立体と釣り浮きの重量を合わせた状態で下げ釣りを楽しむうち、針が床に位置する上げ釣りに切り替えたい場合は、補助重量部材を下部本体に結合する簡単な操作によって、おもり組立体の総重量をさらに８〜１１％増加させて上げ釣りを楽しむことができる。なお、下部本体から補助重量部材を除去する簡単な操作によって、再び下げ釣りを楽しむことができる。従って、上げ釣りや下げ釣りへの切り替えが非常に便利である効果がある。
【図面の簡単な説明】
【００１８】
【図１】本発明の多機能釣り用おもり組立体を示す斜視図である。
【図２】本発明の多機能釣り用おもり組立体を示す断面図である。
【図３】本発明の多機能釣り用おもり組立体を示す分解斜視図である。
【図４】本発明に係る多機能釣り用おもり組立体の使用状態を示す分解斜視図である。
【図５】本発明に係る多機能釣り用おもり組立体で、下げ／上げ釣り切り替え用補助重量部材の使用状態を示す図である。
【発明を実施するための最良の形態】
【００１９】
以下、本発明の好ましい実施形態を添付図面に基づいて詳細に説明する。
【００２０】
図１乃至図３は本発明に係る多機能釣り用おもり組立体を示す斜視図、縦断面図、及び分解斜視図である。これらの図に示すように、本発明の多機能釣り用おもり組立体は、中空の筒状に形成される金属材質の上部本体１０と下部本体２０を備える。
【００２１】
上部本体１０は軸線方向の下側が開放され、上側に連結環１１が備えられて、釣り糸を連結できるようになっている。
【００２２】
上部本体１０は上体部１２と下体部１３に分離形成されて着脱可能に構成されたものである。この時、上体部１２には雌ねじ１２ａが形成され、下体部１３には前記雌ねじ１２ａに螺合される雄ねじ１３ａが形成されて、両ねじが分離または結合可能になっている。上体部１２と下体部１３の内部空間には、おもりの総重量を１〜５％の範囲内で微調節することができる複数の釣り浮き合わせ用重量調節錘１４を収容できるようになっている。
【００２３】
下部本体２０は前記上部本体１０の下体部１３と着脱可能に結合されるものである。上部本体１０との結合構造は、上部本体１０の開放された下側に雌ねじ１０ａを形成し、下部本体２０の上部に前記雌ねじ１０ａに螺合される雄ねじ２０ａを突出した端部に形成することでなされる。即ち、上部本体１０の雌ねじ１０ａと下部本体２０の雄ねじ２０ａが螺合することで、上部本体１０と下部本体２０が軸線方向に絞められて結合される構成である。下部本体２０の雄ねじ２０ａには２本針の枝糸を挟み込むための装着溝部２１が軸線方向に形成されている。
【００２４】
また、本発明のおもり組立体は、前記上部本体１０と下部本体２０との間に設けられて前記下部本体２０の装着溝部２１に挟み込まれる密着部３１と、下部本体２０の外側を外嵌する円筒部３２と、からなる固定部材３０を備える。
【００２５】
固定部材３０は密着部３１を装着溝部２１に挟み込むと、円筒部３２が下部本体２０の外側を外嵌するようになっており、上部本体１０と下部本体２０の結合時に押圧されて、密着部３１が装着溝部２１の床面に密着するようになっている。
【００２６】
即ち、前記下部本体２０の装着溝部２１の底面と固定部材３０の密着部３１との間に２本針の枝糸Ｗ１を位置させ、前記上部本体１０と下部本体２０を螺合することで、装着溝部２１の床面と密着部３１が密着して枝糸Ｗ１を強固に固定することができるようにした構成である。
【００２７】
この時、装着溝部２１の底面と密着部３１の対向面は互いに一致する屈曲または波形に形成して、密着力を大きくしなくても枝糸Ｗ１の堅固な固定が可能にすることで、強い密着力によって枝糸が損傷して簡単に切れることを防止することが好ましい。
【００２８】
また、本発明のおもり組立体は、下部本体２０と固定部材３０との間に設けられて、枝糸Ｗ１をガイドする枝糸ガイド部材４０をさらに備える。
【００２９】
枝糸ガイド部材４０は復元力に優れた弾性材質で製造され、厚さが薄く幅の狭い長い帯状に形成されたものであって、下部本体２０の雄ねじ２０ａの外側を外嵌して下部本体２０に形成した段差２２に載置されるリング部４１と、前記リング部４１から両側に延長形成され、その先端に枝糸Ｗ１が貫通するガイド孔４３が形成された弾性ガイド部４２と、からなって、両針の間隔を維持することができるようになっている。
【００３０】
また、本発明のおもり組立体は、下部本体２０に着脱可能になったものであって、下げ釣りのために釣り浮きの浮力に合わせたおもり組立体の総重量に対して、８〜１１％の範囲内で重量を増加させて、上げ釣りのためのおもり重量になるようにする下げ／上げ釣り切り替え用補助重量部材５０をさらに備える。
【００３１】
補助重量部材５０の着脱結合構造は、下部本体２０に雌ねじ孔２０ｂを形成し、補助重量部材５０には雄ねじ５０ａを形成して構成することが好ましく、雄ねじ５０ａの先端には複数の切断溝５１ａを有する微重量調節切断部５１を形成して補助重量部材５０の重量を微調節できるようにすることが好ましい。
【００３２】
このような構成を有する本発明のおもり組立体の作用を説明すると、次の通りである。図４に示すように、上体部１２と下体部１３を結合して上部本体１０を一体化させた状態で、まず、下部本体２０の段差２２に枝糸ガイド部材４０のリング部４１を位置させる。続いて、下部本体２０の装着溝部２１に２本針の枝糸Ｗ１と固定部材３０の密着部３１を順に挟み込む。次に、上部本体１０と下部本体２０を螺合すれば、固定部材３０の密着部３１が下部本体２０の装着溝部２１の底面と密着することで、これらの間の枝糸Ｗ１を押圧することになる。従って、２本針をおもり組立体に強固に固定することができる。
【００３３】
また、上部本体１０と下部本体２０の螺合状態を緩めると、密着部３１と装着溝部２１の底面との間にある枝糸Ｗ１の固定状態を緩くすることができる。これにより、図２に示すように、枝糸Ｗ１を左右に動かして両針の位置を水平または上下にずれて位置させる作業を非常に簡易に行うことができる。
【００３４】
続いて、枝糸ガイド部材４０のガイド孔４３を介して枝糸Ｗ１を通過させると、枝糸ガイド部材４０で枝糸Ｗ１をガイドすることができる。これにより、両針Ｗ２が一定の間隔で離間した状態を維持することができると共に、枝糸Ｗ１が互いにもつれることや下方に垂れることを防止することができる。
【００３５】
また、本発明のおもり組立体は、上部本体１０が上体部１２と下体部１３に分離形成され、螺合によって分離及び結合が可能になったものである。従って、上体部１２と下体部１３の内部空間に複数の釣り浮き合わせ用重量調節錘１４を収容することができ、これにより、重量調節錘１４の重量と数を加減して釣り浮きの浮力に合わせておもり組立体の総重量を微調節することができる。
【００３６】
一方、本発明のおもり組立体は、下げ／上げ釣り切り替え用補助重量部材５０をさらに備えて、必要に応じて下げ釣りや上げ釣りに切り替えることができる。
【００３７】
即ち、おもり組立体の補助重量部材５０を結合していない状態では、下げ釣りのためにおもり組立体の重量を釣り浮きの浮力に合わせるようになる。従って、釣り針を床から一定の高さに浮かせて位置させることで、魚が針の下で餌を吸引して釣り浮きが水面下に下降する下げ釣りを楽しむことができる。
【００３８】
このような状態で、針を床に位置させて魚が針の上で餌を吸引するようにして、釣り浮きが水面上に上昇する上げ釣りに切り替えたい場合は、おもり組立体の下部本体２０に補助重量部材５０を結合すればよい。この時、補助重量部材５０は下げ釣りのためのおもりの総重量に対して、さらに８〜１１％の重量を増加させることができるように構成したものである。従って、簡単に釣り針を床に位置させて上げ釣りを楽しむことができる。再び補助重量部材５０を削除すると、下げ釣りに切り替えるので、下げ釣りや上げ釣りを非常に簡易に切り替えることができる。
【００３９】
また、補助重量部材５０には、図５に示すように、複数の切断溝５１ａを有する微重量調節切断部５１が形成されている。これにより、補助重量部材５０の重量を微細に減少することができる。従って、釣り浮きごとに少しずつ差がある浮力誤差に対応して正確に針の位置を調節することができ、補助重量部材５０の重量が大きい過ぎるため、おもりが床に横になることを防止する。これにより、おもりが立ち上がった状態で下部のみ床に届くようにすることができる。
【産業上の利用可能性】
【００４０】
本発明の多機能釣り用おもり組立体によれば、おもり組立体の総重量を簡単に調節できると共に、２本針仕掛けをおもり組立体に固定する作業が容易であり、且つ、両針の位置を水平に並んで位置させるか、または上下にずれて位置させる調節作業が非常に便利であり、上げ釣りや下げ釣りに簡単に切り替えることができる。従って、本発明の産業利用性はきわめて高いものといえる。
【００４１】
以上に説明した実施形態は本発明の好ましい実施形態を説明したものに過ぎず、本発明の権利範囲は以上で説明した実施形態に限定されるものではなく、本発明の技術的思想と特許請求の範囲内で、この分野の当業者によって様々な変更、変形または置き換えが可能であり、そのような実施形態は本発明の範囲に属するものと理解するべきである。
【符号の説明】
【００４２】
１０  上部本体
１１  連結環
２０  下部本体
２１  装着溝部
３０  固定部材
３１  密着部
４０  枝糸ガイド部材
４３  ガイド孔
５０  補助重量部材
５１  微重量調節切断部
５１ａ  切断溝
【図１】
2019071876.tif 000003
【図２】
2019071876.tif 000004
【図３】
2019071876.tif 000005
【図４】
2019071876.tif 000006
【図５】
2019071876.tif 000007